(57)【要約】      （修正有）【課題】工場や倉庫等に設置されている天井クレーンを利用して安価に取り付けることができ、大規模空間を有する建物内の空気を循環させて換気を促進し、冷暖房の効率を高めることができる屋内送風装置及び工場や倉庫等で操業中に天井クレーンを使用するだけで、自動的に建物内の空気循環及び換気を促進し、快適な作業環境を維持することができる省スペース性及び省力性に優れた屋内送風装置付き天井クレーンを提供する。【解決手段】建物の天井部に設置された天井クレーン１１に取り付けられ、建物の内部の換気を促進する屋内送風装置１３であって、中空のケース本体１４と、ケース本体１４の長手方向の途中に設けられた複数の吸気部１５と、ケース本体１４に形成された複数の排気口１７と、ケース本体１４に内蔵された複数の送風機１８とを有し、送風機１８で吸気部１５から吸引した建物の内部の空気を排気口１７から建物の内部に排出する。【選択図】図１
0003230978.tif 000002
【実用新案登録請求の範囲】
【請求項１】
建物の天井部に設置された天井クレーンに取り付けられ、前記建物の内部の換気を促進する屋内送風装置であって、
中空のケース本体と、該ケース本体の長手方向の途中に設けられた１又は複数の吸気部と、前記ケース本体に形成された１又は複数の排気口と、前記ケース本体に内蔵された１又は複数の送風機とを有し、前記送風機で前記吸気部から吸引した建物の内部の空気を前記排気口から前記建物の内部に排出することを特徴とする屋内送風装置。
【請求項２】
請求項１記載の屋内送風装置において、前記ケース本体は、前記天井クレーンのガーターの長手方向に沿って取り付けられることを特徴とする屋内送風装置。
【請求項３】
請求項１又は２記載の屋内送風装置において、前記ケース本体の長手方向と平行な少なくとも一方の側面に、該ケース本体の長手方向に間隔を空けて複数の前記排気口が配置され、該各排気口に対向して前記送風機が配置されて、該各送風機に対し、前記ケース本体の長手方向の一側及び／又は他側に前記吸気部が配置されていることを特徴とする屋内送風装置。
【請求項４】
請求項１又は２記載の屋内送風装置において、前記ケース本体の長手方向の一側及び／又は他側の端面に前記排気口が配置され、該各排気口に対向して前記送風機が配置されていることを特徴とする屋内送風装置。
【請求項５】
請求項４記載の屋内送風装置において、前記ケース本体の長手方向の途中に１又は複数の補助吸気用送風機が内蔵され、該各補助吸気用送風機に対し、前記ケース本体の長手方向の一側及び／又は他側に前記吸気部が配置されていることを特徴とする屋内送風装置。
【請求項６】
請求項１〜４のいずれか１記載の屋内送風装置において、前記吸気部を有する吸気ユニットと、前記送風機を内蔵した送風ユニットに分割されていることを特徴とする屋内送風装置。
【請求項７】
請求項５記載の屋内送風装置において、前記吸気部を有する吸気ユニットと、前記送風機を内蔵した送風ユニットと、前記補助吸気用送風機を内蔵した補助送風ユニットに分割されていることを特徴とする屋内送風装置。
【請求項８】
請求項１〜７のいずれか１記載の屋内送風装置において、前記吸気部は、前記ケース本体の内部に該ケース本体の長手方向に沿って取り付けられたメインダクトと、前記ケース本体の底面に形成された底面開口部及び／又は前記ケース本体の長手方向と平行な少なくとも一方の側面に形成された側面開口部と、一側が前記メインダクトに接続され他側が前記底面開口部に接続された垂直方向ダクト及び／又は一側が前記メインダクトに接続され他側が前記側面開口部に接続された水平方向ダクトとを有することを特徴とする屋内送風装置。
【請求項９】
建物の天井部に設置される天井クレーンと、該天井クレーンに取り付けられ、前記建物の内部の換気を促進する請求項１〜８のいずれか１記載の屋内送風装置とを備えたことを特徴とする屋内送風装置付き天井クレーン。
【考案の詳細な説明】
【技術分野】
【０００１】
本考案は、工場や倉庫等の大規模空間を有する建物の内部の空気を循環させて換気を促進するための屋内送風装置及び屋内送風装置付き天井クレーンに関する。
【背景技術】
【０００２】
従来、各種建物の内部を換気するために建物の壁面や天井に排気用の換気扇が取り付けられている。しかし、工場や倉庫等の大規模空間を有する建物では、建物の中央部から壁面までの距離が長く、天井も高いため、排気用の換気扇の風量のみでは、十分な換気を行うことができないという問題がある。また、屋内の換気が不足して空気が滞留したままになると、夏場に屋内の温度が上昇し易く、作業環境の悪化及び熱中症の発生等を招くという問題もある。さらに、屋内に空調機を設置する場合でも、大規模空間では空気の循環が不十分となり、冷暖房の効率が低下し易く、省エネルギー性に欠けるという問題がある。
そこで、例えば、特許文献１には、工場や倉庫等の大規模空間の換気を促進して大規模空間の空調を行う大規模空間の空調システムにおいて、空調対象となる大規模空間の下部に外気を導入する吸気用送風機を配設し、大規模空間の壁面であって天井までの高さの５０％以上の高さに内気を排出する排気用送風機を配設したものが開示されている。
【先行技術文献】
【特許文献】
【０００３】
【特許文献１】特開２０１９−７０４８０号公報
【考案の概要】
【考案が解決しようとする課題】
【０００４】
特許文献１は、排気用送風機に加え、外気を導入する吸気用送風機を設置することにより、大規模空間の換気を促進しようとするものである。しかし、吸気用送風機が一側の壁面付近に設置され、排気用送風機が一側の壁面と対向する他側の壁面に設置されるため、大規模空間では、吸気用送風機から排気用送風機までの距離が長くなり、換気の促進効果が十分に得られないという課題があった。また、特許文献１には、吸気用送風機を台車等に載置して移動させることも記載されているが、吸気用送風機を台車等で移動させるためには人手を必要とし、省力性に欠けるという課題があった。さらに、吸気用送風機により、大規模空間の開口部から外気を吸引した場合、外気の温度の影響を受けて大規模空間の温度が変動するため、冷暖房の効率が悪化し易くなり、省エネルギー性に欠けるという課題があった。特に冬場は、冷たい外気が導入され、大規模空間の温度が低下することにより、作業環境の快適性が損なわれ、作業効率の低下に繋がるという課題もあった。
また、２０２０年度に、粉塵障害防止規則と労働安全衛生規則の一部を改正する省令（粉塵障害防止規則第１章第１条）が、厚生労働省労働基準局から告示され、対象となる事業者の責務として、粉塵にさらされる労働者の健康障害を防止するため、作業環境の整備等必要な措置を講ずるように努めることが規則化された。従って、溶接ヒューム（凝縮微粒子の金属蒸気）を発生させる溶接機を使用する工場では、建物内の上方（天井側）に上昇して浮遊する溶接ヒュームを建物の外部に排出することが必要とされている。
本考案は、かかる事情に鑑みてなされたもので、工場や倉庫等に設置されている天井クレーンを利用して安価に取り付けることができ、大規模空間を有する建物内の空気を循環させて換気を促進し、冷暖房の効率を高めることができる屋内送風装置及び工場や倉庫等で操業中に天井クレーンを使用するだけで、自動的に建物内の空気循環及び換気を促進し、快適な作業環境を維持することができる省スペース性及び省力性に優れた屋内送風装置付き天井クレーンを提供することを目的とする。
【課題を解決するための手段】
【０００５】
前記目的に沿う第１の考案に係る屋内送風装置は、建物の天井部に設置された天井クレーンに取り付けられ、前記建物の内部の換気を促進する屋内送風装置であって、
中空のケース本体と、該ケース本体の長手方向の途中に設けられた１又は複数の吸気部と、前記ケース本体に形成された１又は複数の排気口と、前記ケース本体に内蔵された１又は複数の送風機とを有し、前記送風機で前記吸気部から吸引した建物の内部の空気を前記排気口から前記建物の内部に排出する。
【０００６】
第１の考案に係る屋内送風装置において、前記ケース本体は、前記天井クレーンのガーター（ガーダともいう）の長手方向に沿って取り付けられることが好ましい。
ここで、ケース本体は、ガーターの底部に取り付けることが好ましいが、ガーターの側部に取り付けることもできる。また、天井クレーンが、対をなす２本のガーターを有する場合、ケース本体は、いずれか一方のガーターに取り付ければよい。
【０００７】
第１の考案に係る屋内送風装置において、前記ケース本体の長手方向と平行な少なくとも一方の側面に、該ケース本体の長手方向に間隔を空けて複数の前記排気口が配置され、該各排気口に対向して前記送風機が配置されて、該各送風機に対し、前記ケース本体の長手方向の一側及び／又は他側に前記吸気部が配置されることが好ましい。
【０００８】
第１の考案に係る屋内送風装置において、前記ケース本体の長手方向の一側及び／又は他側の端面に前記排気口が配置され、該各排気口に対向して前記送風機が配置されてもよい。
【０００９】
第１の考案に係る屋内送風装置において、前記ケース本体の長手方向の途中に１又は複数の補助吸気用送風機が内蔵され、該各補助吸気用送風機に対し、前記ケース本体の長手方向の一側及び／又は他側に前記吸気部が配置されていることが好ましい。
【００１０】
第１の考案に係る屋内送風装置において、前記吸気部を有する吸気ユニットと、前記送風機を内蔵した送風ユニットに分割されてもよい。
【００１１】
第１の考案に係る屋内送風装置において、前記吸気部を有する吸気ユニットと、前記送風機を内蔵した送風ユニットと、前記補助吸気用送風機を内蔵した補助送風ユニットに分割されてもよい。
【００１２】
第１の考案に係る屋内送風装置において、前記吸気部は、前記ケース本体の内部に該ケース本体の長手方向に沿って取り付けられたメインダクトと、前記ケース本体の底面に形成された底面開口部及び／又は前記ケース本体の長手方向と平行な少なくとも一方の側面に形成された側面開口部と、一側が前記メインダクトに接続され他側が前記底面開口部に接続された垂直方向ダクト及び／又は一側が前記メインダクトに接続され他側が前記側面開口部に接続された水平方向ダクトとを有することができる。
ここで、ケース本体の長手方向に隣接する吸気部のメインダクト同士は連結されることが好ましいが、連結されなくてもよい。
【００１３】
前記目的に沿う第２の考案に係る屋内送風装置付き天井クレーンは、建物の天井部に設置される天井クレーンと、該天井クレーンに取り付けられ、前記建物の内部を換気する第１の考案に係る屋内送風装置とを備える。
【考案の効果】
【００１４】
第１の考案に係る屋内送風装置によれば、建物の天井部に設置された天井クレーンに取り付けられることにより、別途、吊下げ手段や支持手段等を必要とせず、安価に取り付けることができ、天井部の空間を有効利用することができる。また、吸気部、排気口及び送風機が、ケース本体で一体化されており、取扱い性及び施工性に優れる。そして、操業中に天井クレーンを使用するだけで、天井クレーンと共に屋内送風装置を移動させ、自動的に建物内の空気循環及び換気を促進し、冷暖房の効率を高め、快適な作業環境を維持することができ、省力性及び省エネルギー性に優れる。また、建物内で発生する溶接ヒュームをはじめとする各種粉塵を確実かつ効率的に建物の外に排出し、安全な作業環境を整備して、作業者（労働者）の健康障害を防止することができる。
【００１５】
第１の考案に係る屋内送風装置において、ケース本体が、天井クレーンのガーターの長手方向に沿って取り付けられる場合、ガーターの長さを利用して、吸気部、送風機及び排気口を効率的に配置することができる。
【００１６】
第１の考案に係る屋内送風装置において、ケース本体の長手方向と平行な少なくとも一方の側面に、ケース本体の長手方向に間隔を空けて複数の排気口が配置され、各排気口に対向して送風機が配置されて、各送風機に対し、ケース本体の長手方向の一側及び／又は他側に吸気部が配置されている場合、各送風機は、建物内の空気を吸気部から確実に吸引して、各排気口から排出することができ、ケース本体の長手方向と直交する方向に取り付けられている換気扇に向かって建物内の空気を流して排気を促進し、建物内の空気の循環効率を高めることができる。
【００１７】
第１の考案に係る屋内送風装置において、ケース本体の長手方向の一側及び／又は他側の端面に排気口が配置され、各排気口に対向して送風機が配置される場合、ケース本体の長手方向の一側及び／又は他側に取り付けられている換気扇に向かって建物内の空気を流して排気を促進することができる。
【００１８】
第１の考案に係る屋内送風装置において、ケース本体の長手方向の途中に１又は複数の補助吸気用送風機が内蔵され、各補助吸気用送風機に対し、ケース本体の長手方向の一側及び／又は他側に吸気部が配置されている場合、ケース本体が長尺であっても、各補助吸気用送風機によって吸引される建物内の空気をケース本体の長手方向の一側及び／又は他側の端面にある排気口に向かって送ることができ、建物内全体の空気を斑無く循環させて、循環効率を高めることができる。
【００１９】
第１の考案に係る屋内送風装置において、吸気部を有する吸気ユニットと、送風機が内蔵された送風ユニットに分割されている場合、吸気ユニット及び送風ユニットの数と配置を適宜、選択して屋内送風装置を製造することができ、施工性及び汎用性に優れる。
【００２０】
第１の考案に係る屋内送風装置において、吸気部を有する吸気ユニットと、送風機が内蔵された送風ユニットと、補助吸気用送風機が内蔵された補助送風ユニットに分割されている場合、吸気ユニット、送風ユニット及び補助送風ユニットの数と配置を適宜、選択して屋内送風装置を製造することができ、施工性及び汎用性に優れる。
【００２１】
第１の考案に係る屋内送風装置において、吸気部が、ケース本体の内部にケース本体の長手方向に沿って取り付けられたメインダクトと、ケース本体の底面に形成された底面開口部及び／又はケース本体の長手方向と平行な少なくとも一方の側面に形成された側面開口部と、一側がメインダクトに接続され他側が底面開口部に接続された垂直方向ダクト及び／又は一側がメインダクトに接続され他側が側面開口部に接続された水平方向ダクトとを有する場合、底面開口部及び／又は側面開口部から吸引される建物内の空気を垂直方向ダクト及び／又は水平方向ダクトで案内してメインダクトに取り込み、各排気口に向かってスムーズに移動させることができる。
【００２２】
第２の考案に係る屋内送風装置付き天井クレーンによれば、操業中に天井クレーンを使用するだけで、特別な動作や複雑な制御等を行うことなく、自動的に建物内の空気循環及び換気を促進し、冷暖房の効率を高め、快適な作業環境を維持することができる。
【図面の簡単な説明】
【００２３】
【図１】本考案の第１の実施の形態に係る屋内送風装置付き天井クレーンの平面図である。
【図２】同屋内送風装置付き天井クレーンの側面図である。
【図３】同屋内送風装置付き天井クレーンに取り付けられた屋内送風装置の排気口を示す要部正断面図である。
【図４】同屋内送風装置付き天井クレーンに取り付けられた屋内送風装置の吸気部を示す要部正断面図である。
【図５】本考案の第２の実施の形態に係る屋内送風装置付き天井クレーンの平面図である。
【図６】同屋内送風装置付き天井クレーンの側面図である。
【図７】同屋内送風装置付き天井クレーンの変形例の平面図である。
【図８】同変形例の側面図である。
【考案を実施するための形態】
【００２４】
続いて、添付した図面を参照しつつ、本考案を具体化した実施の形態につき説明し、本考案の理解に供する。
図１〜図４に示す本考案の第１の実施の形態に係る屋内送風装置付き天井クレーン１０は、建物１２の天井部に設置される天井クレーン１１に、建物１２の内部の換気を促進する屋内送風装置１３を取り付けることにより、工場や倉庫等の大規模空間を有する建物１２内の空気を循環させて換気を促進し、冷暖房の効率を高め、建物１２内の作業環境を快適に維持するものである。なお、図１、図２の左右方向が、屋内送風装置付き天井クレーン１０及び天井クレーン１１の前後方向である。
屋内送風装置１３は、図１、図２、図４に示すように、中空のケース本体１４と、ケース本体１４の長手方向の途中に設けられた複数（ここでは５つ）の吸気部１５を有している。また、屋内送風装置１３は、図１〜図３に示すように、ケース本体１４の長手方向と平行な一方（ここでは、天井クレーン１１の右側であり、図１の上側）の側面１６にケース本体１４の長手方向に間隔を空けて形成された複数（ここでは４つ）の排気口１７と、ケース本体１４に内蔵され、各排気口１７に対向して配置された複数（ここでは４つ）の送風機１８とを有している。
【００２５】
各吸気部１５は、図１、図２、図４に示すように、ケース本体１４の内部に、ケース本体１４の長手方向に沿って取り付けられたメインダクト１９を有している。また、ケース本体１４の底面２０には底面開口部２１が形成され、ケース本体１４の長手方向と平行な他方の側面２２には側面開口部２３が形成されている。そして、各吸気部１５は、一側がメインダクト１９に連通し他側が底面開口部２１に連通する垂直方向ダクト２５及び一側がメインダクト１９に連通し他側が側面開口部２３に連通する水平方向ダクト２６とを有している。
各送風機１８に対して、ケース本体１４の長手方向の一側及び／又は他側に吸気部１５が配置されることにより、各送風機１８は、建物１２内の空気を吸気部１５から確実に吸引して、それぞれの排気口１７から排出することができる。なお、送風機１８は、図３に示すように、メインダクト１９の軸心の延長線を中心に回動可能に取り付けられており、その回動角度により空気の排出方向（送風方向）を調整することができる。そして、排気口１７は、送風機１８の回動範囲に対応させて縦長の長孔状に形成することができるが、その形状は適宜、選択することができる。
【００２６】
本実施の形態では、５つの吸気部１５に対して排気口１７と送風機１８を４つずつ配置したが、これらの数と配置は、建物１２の広さや送風機の能力等に応じて、適宜、選択することができる。例えば、２つの送風機の間に３つ以上の吸気部を連続して配置してもよいし、吸気部及び排気口と送風機をそれぞれ１つずつ配置してもよい。
ケース本体１４の長手方向に隣接する吸気部１５のメインダクト１９同士は連結（接合）することが好ましいが、２本のメインダクト１９の端面同士を突き合わせるだけでもよいし、連続（隣接）して配置される複数の吸気部に対しては、初めから１本の長尺のメインダクトを取り付けることもできる。なお、吸気部１５の長手方向の両端部に、ケース本体１４の長手方向と直交するように仕切り板２７を取り付け、メインダクト１９の外径と同等の連通孔２８を形成することにより、メインダクト１９の長手方向の両端部を仕切り板２７で保持すると共に、メインダクト１９の外周を閉塞し、メインダクト１９を流れる空気がメインダクト１９の外部に漏れることを防止することができる。本実施の形態では、ケース本体１４のうち排気口１７が形成される一側の側面１６及び底面２０の一部を円弧状に湾曲させ、送風機１８の先端側（送風口）がケース本体１４の外部に突出するようにしたが、これに限定されるものではなく、ケース本体の断面形状を他の部分（吸気部）と同様に四角形状に形成してもよい。
底面開口部２１、側面開口部２３及び連通孔２８には、適宜、メッシュ状のカバーを取り付けることができ、メインダクト１９、垂直方向ダクト２５及び水平方向ダクト２６には、必要に応じて、フィルタ等を取り付け、空気中に含まれる粉塵を捕集することもできる。
【００２７】
以上の構成により、各送風機１８で吸気部１５（底面開口部２１及び側面開口部２３）から建物１２の内部の空気を吸引し、排気口１７から建物１２の内部に排出することができる。このとき、建物１２に取り付けられている換気扇と正対するように排気口１７を配置することにより、吸気部１５で吸引した建物１２内の空気を排気口１７から換気扇に向かって流すことができ、建物１２内の換気を促進し、建物内に浮遊している粉塵等も強制的に屋外に排出することができる。なお、排気口１７の高さと換気扇の高さが一致していない場合でも、先に説明したように送風機１８を回動させることにより、換気扇の高さに合わせて空気の排出方向（送風方向）を調整することができる。
送風機１８は、特に限定されるものではなく、従来公知のものを適宜、選択して使用することができる。また、送風機１８以外の材質としては、ステンレス等の金属が好適に用いられるが、ＰＰ（ポリプロピレン）、ＰＳ（ポリスチレン）、ＰＣ（ポリカーボネート）、ＰＶＣ（塩化ビニル樹脂）、ＡＢＳ樹脂等の合成樹脂を用いることもでき、複数の材質を組み合わせてもよい。
【００２８】
なお、本実施の形態では、ケース本体１４の長手方向と平行な一方の側面１６のみに排気口１７を形成し、他方の側面２２のみに側面開口部２３を形成したが、一方の側面のみに側面開口部を形成し、他方の側面のみに排気口を形成してもよいし、一方及び他方にそれぞれ排気口及び側面開口部を形成することもできる。この場合、例えば、排気口と側面開口部を互い違いに配置し、送風機を選択的に運転することにより、一方又は他方の側面に形成された排気口から選択的に排気させることができる。また、ケース本体の長手方向の一側では、ケース本体の長手方向と平行な一方の側面に側面開口部を形成し、ケース本体の長手方向の他側では、ケース本体の長手方向と平行な一方又は他方の側面に排気口を形成すれば、ケース本体の長手方向の一側から吸引した空気をケース本体の長手方向の他側から排気することもできる。このように側面開口部及び排気口の配置と送風機の運転を組み合わせることにより、様々な空気の流れを選択することができる。
【００２９】
ここで、屋内送風装置１３が取り付けられる天井クレーン１１は、建物１２に設置された前後一対の走行レール３０を有している。各走行レール３０上には、車輪３１を有するサドル３２が載置され、２つ（前後）のサドル３２は、左右一対のガーター３３で連結されている。これにより、左右一対のガーター３３は、前後一対の走行レール３０に架け渡された状態で、走行レール３０上を走行可能となっている。また、左右一対のガーター３３を跨ぐように設置されたトロリ３４は、ガーター３３の上をガーター３３の長手方向に沿って移動可能となっている。そして、屋内送風装置１３のケース本体１４は、対をなす２本のガーター３３の一方（ここでは、天井クレーン１１の右側であり、図１の上側）の底部に、ガーター３３の長手方向に沿って取り付けられている。
従って、操業中に、各送風機１８を運転しながら屋内送風装置付き天井クレーン１０（天井クレーン１１）を使用するだけで、天井クレーン１１（ガーター３３）と共に屋内送風装置１３を走行レール３０に沿って移動させることができるので、大規模空間を有する建物１２であっても、自動的に建物１２内の空気全体を循環させ、換気を促進することができ、粉塵対策にも効果的である。特に、建物１２内での溶接ヒュームの拡散及び滞留に対し、換気扇に向かう空気の流れを作ることにより、溶接ヒュームを外部（屋外）に誘出する効果があり、溶接ヒューム対策に有効である。また、建物１２内の空気を循環させることにより、冷暖房の効率を高め、建物１２内の温度を均一化して、快適な作業環境を維持することができ、夏場の熱中症対策及び冬場の寒さ対策にも効果がある。
なお、屋内送風装置が取り付けられる天井クレーンの構造は、特に限定されるものではなく、従来公知の各種の構造の天井クレーンに対して屋内送風装置を取り付けることができ、屋内送風装置付き天井クレーンとして使用することができる。例えば、本実施の形態では、２本（左右一対）のガーターを有する、いわゆるダブルガーターの天井クレーンについて説明したが、１本のガーターを有する、いわゆるシングルガーターの天井クレーンにも対応できる。なお、シングルガーターに対しては、ガーターの上面に屋内送風装置（ケース本体）を取り付けることが好ましい。但し、ケース本体に側面開口部を形成するだけでは屋内送風装置として十分な効果が得られない場合、ケース本体をガーターより幅広に形成し、ケース本体の底面のガーターと重ならない位置に底面開口部を形成することにより、十分な効果が得られる。
【００３０】
屋内送風装置１３は、１本の長尺のケース本体１４に、排気口１７、底面開口部２１及び側面開口部２３を形成し、送風機１８、メインダクト１９、垂直方向ダクト２５、水平方向ダクト２６及び連通孔２８を形成した仕切り板２７等を取り付けて製造することもできるが、中空の直方体状のケースに底面開口部、側面開口部及び連通孔を形成し、メインダクト、垂直方向ダクト及び水平方向ダクトを取り付けて、吸気部を有する吸気ユニットを独立させて製造することもできる。同様に、中空の直方体状のケースに排気口及び連通孔を形成し、送風機を取り付ければ、送風機を内蔵した送風ユニットを独立させて製造することができる。従って、屋内送風装置は、吸気部を有する吸気ユニットと、送風機を内蔵した送風ユニットに分割することができ、予め製造した吸気ユニットと送風ユニットの数と配置を、建物１２の広さや天井クレーンの大きさ（ガーターの長さ）等に応じて、適宜、組み合わせて製造することが可能となり、施工性及び汎用性に優れる。
【００３１】
次に、本考案の第２の実施の形態に係る屋内送風装置付き天井クレーン３６について説明する。なお、第１の実施の形態と同様の構成については、同一の符号を付して説明を省略する。
図５、図６に示す屋内送風装置付き天井クレーン３６が屋内送風装置付き天井クレーン１０と異なる点は、屋内送風装置３７において、ケース本体１４の長手方向の一側（ここでは図５、図６の右側）の端面に、排気口３８及び排気口３８に対向する送風機３９が配置されている点と、ケース本体１４の長手方向の途中に複数（ここでは２つ）の補助吸気用送風機４０が内蔵され、各補助吸気用送風機４０に対して、ケース本体１４の長手方向の一側及び／又は他側に吸気部１５が配置されている点である。
ここで、排気口３８及び送風機３９が、ケース本体１４の長手方向の一側の端面のみに配置されているが、ケース本体１４の長手方向の途中に、排気口３８側（ケース本体１４の長手方向の一側）に向かって送気する補助吸気用送風機４０が内蔵され、補助吸気用送風機４０に対し、ケース本体１４の長手方向の一側及び／又は他側に吸気部１５が配置されることにより、それぞれの吸気部１５から空気を確実に吸引して排気口３８に向かって送ることができるので、建物１２内全体の空気を斑無く循環させることができる。なお、ケース本体１４の長手方向の他端部に配置される吸気部１５ａには、長手方向の他端側が閉塞されたメインダクト１９ａが用いられる。また、屋内送風装置の長手方向の一側と他側を入れ替えて（左右を反転させて）、ケース本体の長手方向の他側の端面のみに排気口及び送風機を配置してもよい。
【００３２】
本実施の形態では、ケース本体１４の長手方向の一側の端面のみに排気口３８及び送風機３９を配置したが、図７、図８に示す変形例の屋内送風装置付き天井クレーン４２では、屋内送風装置４３において、排気口３８及び送風機３９に加え、ケース本体１４の長手方向の他側の端面にも、同様の排気口３８ａ及び送風機３９ａを配置した。この場合、ケース本体１４の長手方向の中央部を境に、ケース本体１４の長手方向の一側（排気口３８）に向かって送気する補助吸気用送風機４０と、ケース本体１４の長手方向の他側（排気口３８ａ）に向かって送気する補助吸気用送風機４０ａを内蔵することにより、それぞれの吸気部１５から吸引される空気を排気口３８と排気口３８ａに向かって分配して送ることができる。
屋内送風装置付き天井クレーン３６及び屋内送風装置付き天井クレーン４２は、建物１２に取り付けられている換気扇の位置に応じて、屋内送風装置付き天井クレーン１０と使い分けることができ、屋内送風装置付き天井クレーン１０と同様の作用、効果を有する。
なお、屋内送風装置付き天井クレーン３６及び屋内送風装置付き天井クレーン４２も、屋内送風装置付き天井クレーン１０と同様に、吸気部を有する吸気ユニット、送風機を内蔵した送風ユニット及び補助吸気用送風機を内蔵した補助送風ユニットに分割して容易に製造することができる。
【００３３】
以上、本考案の実施の形態を説明したが、本考案は何ら上記実施の形態に記載の構成に限定されるものではなく、実用新案登録請求の範囲に記載されている事項の範囲内で考えられるその他の実施の形態や変形例も含むものである。
例えば、上記第１の実施の形態に、第２の実施の形態又は第２の実施の形態の変形例を組み合わせることもできる。
また、上記実施の形態では、吸気部が、底面開口部、側面開口部、垂直方向ダクト及び水平方向ダクトを有するものについて説明したが、建物の規模（広さ）や天井クレーンの取付け位置等によっては、底面開口部と垂直方向ダクトのみを有するものや、側面開口部と水平方向ダクトのみを有するものを使用することができる。そして、吸気部が、底面開口部と垂直方向ダクトのみを有する場合、ケース本体は、天井クレーンのガーターの底部に取り付ける以外に、側部に取り付けることも可能である。
【符号の説明】
【００３４】
１０：屋内送風装置付き天井クレーン、１１：天井クレーン、１２：建物、１３：屋内送風装置、１４：ケース本体、１５、１５ａ：吸気部、１６：側面、１７：排気口、１８：送風機、１９、１９ａ：メインダクト、２０：底面、２１：底面開口部、２２：側面、２３：側面開口部、２５：垂直方向ダクト、２６：水平方向ダクト、２７：仕切り板、２８：連通孔、３０：走行レール、３１：車輪、３２：サドル、３３：ガーター、３４：トロリ、３６：屋内送風装置付き天井クレーン、３７：屋内送風装置、３８、３８ａ：排気口、３９、３９ａ：送風機、４０、４０ａ：補助吸気用送風機、４２：屋内送風装置付き天井クレーン、４３：屋内送風装置
【図１】
0003230978.tif 000003
【図２】
0003230978.tif 000004
【図３】
0003230978.tif 000005
【図４】
0003230978.tif 000006
【図５】
0003230978.tif 000007
【図６】
0003230978.tif 000008
【図７】
0003230978.tif 000009
【図８】
0003230978.tif 000010